【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
情報端末装置と、前記情報端末装置とネットワークで接続された画像形成装置と、前記情報端末装置と前記画像形成装置とにネットワークで接続されたメッセージングサーバとを備えた画像形成システムであって、
前記情報端末装置は、
前記情報端末装置の現在の状態を表すプレゼンス情報に関する第１のメッセージを作成し前記メッセージングサーバへ送信するとともに、前記メッセージングサーバから前記画像形成装置の状態を表すプレゼンス情報に関する第３のメッセージを受信する第１のメッセージ処理手段と、
前記第３のメッセージの内容を認識する第１のメッセージ認識手段と、を備え、
前記画像形成装置は、
前記画像形成装置の現在の状態を表すプレゼンス情報に関する第２のメッセージを作成し前記メッセージングサーバへ送信するとともに、前記メッセージングサーバから前記情報端末装置の状態を表すプレゼンス情報に関する第４のメッセージを受信する第２のメッセージ処理手段と、
前記第４のメッセージの内容を認識する第２のメッセージ認識手段と、を備え、
前記メッセージングサーバは、
前記第３のメッセージを作成し前記情報端末装置へ送信するとともに、前記情報端末装置から前記第１のメッセージを受信し、前記第４のメッセージを作成し前記画像形成装置へ送信するとともに、前記画像形成装置から前記第２のメッセージを受信する第３のメッセージ処理手段と、
前記情報端末装置および前記画像形成装置のプレゼンス情報を記憶するプレゼンス情報記憶手段と、
受信した前記第１のメッセージおよび前記第２のメッセージから、前記プレゼンス情報を変更するプレゼンス情報管理手段と、
前記プレゼンス情報に基づいて、前記第３のメッセージ処理手段を制御する制御手段と、
を備えたことを特徴とする画像形成システム。
【請求項２】
前記画像形成装置は、
前記画像形成装置の状態が変更した場合に、変更後の状態を取得するプレゼンス取得手段をさらに備えたこと、を特徴とする請求項１に記載の画像形成システム。
【請求項３】
前記画像形成装置は、受信した前記第４のメッセージから、前記画像形成装置の状態を変更するプレゼンス変更手段をさらに備えたこと、を特徴とする請求項１または２に記載の画像形成システム。
【手続補正２】
【補正対象書類名】明細書
【補正対象項目名】発明の名称
【補正方法】変更
【補正の内容】
【発明の名称】画像形成システム
【手続補正３】
【補正対象書類名】明細書
【補正対象項目名】０００１
【補正方法】変更
【補正の内容】
【０００１】
本発明は、画像形成システムに関する。
【手続補正４】
【補正対象書類名】明細書
【補正対象項目名】００１０
【補正方法】変更
【補正の内容】
【００１０】
本発明は、上記に鑑みてなされたものであって、異なるネットワークにある情報端末装置と画像形成装置との間で、メッセージングによってリアルタイムで双方向通信を行い、情報端末装置からの指示による機能（印刷、スキャン、コピー、ＦＡＸ、および、ストレージなど）の実行や、情報端末装置との間でプレゼンス情報を交換することができる画像形成システムを提供することを目的とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
上述した課題を解決し、目的を達成するために、請求項１にかかる発明は、情報端末装置と、前記情報端末装置とネットワークで接続された画像形成装置と、前記情報端末装置と前記画像形成装置とにネットワークで接続されたメッセージングサーバとを備えた画像形成システムであって、前記情報端末装置は、前記情報端末装置の現在の状態を表すプレゼンス情報に関する第１のメッセージを作成し前記メッセージングサーバへ送信するとともに、前記メッセージングサーバから前記画像形成装置の状態を表すプレゼンス情報に関する第３のメッセージを受信する第１のメッセージ処理手段と、前記第３のメッセージの内容を認識する第１のメッセージ認識手段と、を備え、前記画像形成装置は、前記画像形成装置の現在の状態を表すプレゼンス情報に関する第２のメッセージを作成し前記メッセージングサーバへ送信するとともに、前記メッセージングサーバから前記情報端末装置の状態を表すプレゼンス情報に関する第４のメッセージを受信する第２のメッセージ処理手段と、前記第４のメッセージの内容を認識する第２のメッセージ認識手段と、を備え、前記メッセージングサーバは、前記第３のメッセージを作成し前記情報端末装置へ送信するとともに、前記情報端末装置から前記第１のメッセージを受信し、前記第４のメッセージを作成し前記画像形成装置へ送信するとともに、前記画像形成装置から前記第２のメッセージを受信する第３のメッセージ処理手段と、前記情報端末装置および前記画像形成装置のプレゼンス情報を記憶するプレゼンス情報記憶手段と、受信した前記第１のメッセージおよび前記第２のメッセージから、前記プレゼンス情報を変更するプレゼンス情報管理手段と、前記プレゼンス情報に基づいて、前記第３のメッセージ処理手段を制御する制御手段と、を備えたことを特徴とする。
【手続補正１５】
【補正対象書類名】明細書
【補正対象項目名】００２１
【補正方法】変更
【補正の内容】
【００２１】
また、請求項２にかかる発明は、請求項１に記載の画像形成システムにおいて、前記画像形成装置は、前記画像形成装置の状態が変更した場合に、変更後の状態を取得するプレゼンス取得手段をさらに備えたこと、を特徴とする。
【手続補正１６】
【補正対象書類名】明細書
【補正対象項目名】００２２
【補正方法】変更
【補正の内容】
【００２２】
また、請求項３にかかる発明は、請求項１または２に記載の画像形成システムにおいて、前記画像形成装置は、受信した前記第４のメッセージから、前記画像形成装置の状態を変更するプレゼンス変更手段をさらに備えたこと、を特徴とする。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２７
【補正方法】変更
【補正の内容】
【００２７】
以下に添付図面を参照して、この発明にかかる画像形成システムの最良な実施の形態を詳細に説明する。なお、本発明の形態は以下の例に限るものではない。